【手続補正書】
【提出日】平成20年5月2日(2008.5.2)
【手続補正１】
【補正対象書類名】明細書
【補正対象項目名】特許請求の範囲
【補正方法】変更
【補正の内容】
【特許請求の範囲】
【請求項１】  造影剤が投入された被写体を放射線撮影して得られた対象画像に対して、対象画像の特徴量に基いた画像処理を施す画像処理装置であって、
対象画像上の造影剤領域に基いた領域から特徴量を抽出する特徴量抽出手段を備えることを特徴とする画像処理装置。
【請求項２】  造影剤が投入された被写体を放射線撮影して得られた対象画像に対して、対象画像の特徴量に基いた画像処理を施す画像処理装置であって、
対象画像を構成する画素値の分布に基いて、対象画像における造影剤領域を示す代表画素値を抽出する代表画素値抽出手段と、
上記代表画素値抽出手段により得られた代表画素値に基づく画素値の範囲の領域及び当該画素値範囲と一定距離内の領域を抽出する領域抽出手段と、
上記領域抽出手段により得られた領域の周辺領域から特徴量を抽出する特徴抽出手段とを備えることを特徴とする画像処理装置。
【請求項３】  上記代表画素値抽出手段は、対象画像から作成されたヒストグラムの形状に基いて、上記造影剤領域を示す代表画素値を抽出することを特徴とする請求項２記載の画像処理装置。
【請求項４】  上記画像処理は、対象画像の特徴量に基いて対象画像の階調を変換する処理を含むことを特徴とする請求項１又は２記載の画像処理装置。
【請求項５】  複数の機器が互いに通信可能に接続されてなる画像処理システムであって、
上記複数の機器のうち少なくとも１つの機器は、請求項１〜４の何れかに記載の画像処理装置の機能を有することを特徴とする画像処理システム。
【請求項６】  造影剤が投入された被写体を放射線撮影して得られた対象画像に対して、対象画像の特徴量に基いた画像処理を施すための画像処理方法であって、
対象画像上の造影剤領域に基いた領域から特徴量を抽出する処理ステップを含むことを特徴とする画像処理方法。
【請求項７】  造影剤が投入された被写体を放射線撮影して得られた対象画像に対して、対象画像の特徴量に基いた画像処理を施すための画像処理方法であって、
対象画像を構成する画素値の分布に基いて、対象画像における造影剤領域を示す代表画素値を抽出する代表画素値抽出ステップと、
上記代表画素値抽出ステップにより得られた代表画素値に基づく画素値の範囲の領域及び当該画素値範囲と一定距離内の領域を抽出する領域抽出ステップと、
上記領域抽出ステップにより得られた領域の周辺領域から特徴量を抽出する特徴抽出ステップとを含むことを特徴とする画像処理方法。
【請求項８】  上記代表画素値抽出ステップは、対象画像から作成されたヒストグラムに基いて、上記造影剤領域を示す代表画素値を抽出するステップを含むことを特徴とする請求項７記載の画像処理方法。
【請求項９】  上記代表画素値抽出ステップは、対象画像から作成された累積ヒストグラムに基いて、上記造影剤領域を示す代表画素値を抽出するステップを含むことを特徴とする請求項７記載の画像処理方法。
【請求項１０】  上記特徴量に基いて、対象画像に対する階調変換処理を行う画像処理ステップを含むことを特徴とする請求項６又は７記載の画像処理方法。
【請求項１１】  造影剤が投入された被写体を放射線撮影して得られた対象画像に対して、対象画像の特徴量に基いた画像処理を施すためのプログラムを記録したコンピュータ読取可能な記憶媒体であって、
対象画像上の造影剤領域に基いた領域から特徴量を抽出する特徴量抽出ステップをコンピュータに実行させるためのプログラムを記録したコンピュータ読取可能な記憶媒体。
【請求項１２】  造影剤が投入された被写体を放射線撮影して得られた対象画像に対して、対象画像の特徴量に基いた画像処理を施すためのプログラムを記録したコンピュータ読取可能な記憶媒体であって、
対象画像を構成する画素値の分布に基いて、対象画像における造影剤領域を示す代表画素値を抽出する代表画素値抽出ステップと、
上記代表画素値抽出ステップにより得られた代表画素値に基づく画素値の範囲の領域及び当該画素値範囲と一定距離内の領域を抽出する領域抽出ステップと、
上記領域抽出ステップにより得られた領域の周辺領域から特徴量を抽出する特徴抽出ステップとをコンピュータに実行させるためのプログラムを記録したコンピュータ読取可能な記憶媒体。
【請求項１３】  造影剤が投入された被写体を放射線撮影して得られた対象画像に対して、対象画像の特徴量に基いた画像処理を施すためのプログラムであって、
対象画像上の造影剤領域に基いた領域から特徴量を抽出する特徴量抽出ステップをコンピュータに実行させるためのプログラム。
【請求項１４】  造影剤が投入された被写体を放射線撮影して得られた対象画像に対して、対象画像の特徴量に基いた画像処理を施すためのプログラムであって、
対象画像を構成する画素値の分布に基いて、対象画像における造影剤領域を示す代表画素値を抽出する代表画素値抽出ステップと、
上記代表画素値抽出ステップにより得られた代表画素値に基づく画素値の範囲の領域及び当該画素値範囲と一定距離内の領域を抽出する領域抽出ステップと、
上記領域抽出ステップにより得られた領域の周辺領域から特徴量を抽出する特徴抽出ステップとをコンピュータに実行させるためのプログラム。
【手続補正２】
【補正対象書類名】明細書
【補正対象項目名】００１７
【補正方法】変更
【補正の内容】
【００１７】
第１１の発明は、造影剤が投入された被写体を放射線撮影して得られた対象画像に対して、対象画像の特徴量に基いた画像処理を施すためのプログラムを記録したコンピュータ読取可能な記憶媒体であって、対象画像上の造影剤領域に基いた領域から特徴量を抽出する特徴量抽出ステップをコンピュータに実行させるためのプログラムをコンピュータ読取可能な記憶媒体に記録したことを特徴とする。
【手続補正３】
【補正対象書類名】明細書
【補正対象項目名】００１８
【補正方法】変更
【補正の内容】
【００１８】
第１２の発明は、造影剤が投入された被写体を放射線撮影して得られた対象画像に対して、対象画像の特徴量に基いた画像処理を施すためのプログラムを記録したコンピュータ読取可能な記憶媒体であって、対象画像を構成する画素値の分布に基いて、対象画像における造影剤領域を示す代表画素値を抽出する代表画素値抽出ステップと、上記代表画素値抽出ステップにより得られた代表画素値に基づく画素値の範囲の領域及び当該画素値範囲と一定距離内の領域を抽出する領域抽出ステップと、上記領域抽出ステップにより得られた領域の周辺領域から特徴量を抽出する特徴抽出ステップとをコンピュータに実行させるためのプログラムをコンピュータ読取可能な記憶媒体に記録したことを特徴とする。
【手続補正４】
【補正対象書類名】明細書
【補正対象項目名】００１９
【補正方法】変更
【補正の内容】
【００１９】
第１３の発明は、造影剤が投入された被写体を放射線撮影して得られた対象画像に対して、対象画像の特徴量に基いた画像処理を施すためのプログラムであって、対象画像上の造影剤領域に基いた領域から特徴量を抽出する特徴量抽出ステップをコンピュータに実行させるためのプログラムであることを特徴とする。
【手続補正５】
【補正対象書類名】明細書
【補正対象項目名】００２０
【補正方法】変更
【補正の内容】
【００２０】
第１４の発明は、造影剤が投入された被写体を放射線撮影して得られた対象画像に対して、対象画像の特徴量に基いた画像処理を施すためのプログラムであって、対象画像を構成する画素値の分布に基いて、対象画像における造影剤領域を示す代表画素値を抽出する代表画素値抽出ステップと、上記代表画素値抽出ステップにより得られた代表画素値に基づく画素値の範囲の領域及び当該画素値範囲と一定距離内の領域を抽出する領域抽出ステップと、上記領域抽出ステップにより得られた領域の周辺領域から特徴量を抽出する特徴抽出ステップとをコンピュータに実行させるためのプログラムであることを特徴とする。